(57)【要約】【課題】壁の外観が損なわれるのを抑制することができる建物の手摺構造を提供する。【解決手段】建物には、廊下１４に面して手摺壁４０が設けられている。手摺壁４０は、壁面材４１と、その壁面材４１の廊下１４側に上下に所定の間隔をおいて取り付けられた第１壁ユニット４２及び第２壁ユニット４３とを備える。第１壁ユニット４２と第２壁ユニット４３との間には、手摺壁４０の幅方向に沿って延び廊下１４に向けて開口する中間凹部５８が形成されている。この中間凹部５８には、当該凹部５８の長手方向に延びる手摺棒７６が取り付けられている。【選択図】      図２
2018017086.tif 000002
【特許請求の範囲】
【請求項１】
屋内空間に面して設けられた壁部を備え、
前記壁部における所定の高さ範囲には、前記壁部の幅方向に延び前記屋内空間に向けて開口する凹部が形成されており、
前記凹部には前記幅方向に延びる手摺棒が取り付けられていることを特徴とする建物の手摺構造。
【請求項２】
前記凹部には、前記手摺棒を照らす手摺照明が設けられていることを特徴とする請求項１に記載の建物の手摺構造。
【請求項３】
前記壁部は、壁体と、その壁体の前記屋内空間側に上下に間隔をおいて取り付けられた一対の壁ユニットとを備え、
前記各壁ユニットは、前記屋内空間に面して設けられた壁面材と、その壁面材の裏面に設けられ前記壁体に固定された壁下地部とを有し、
前記各壁ユニットの間が前記凹部となっていることを特徴とする請求項１又は２に記載の建物の手摺構造。
【請求項４】
前記各壁ユニットのうち、下側の壁ユニットである第１壁ユニットは、前記屋内空間の床面から上方に離間した状態で配置され、
前記第１壁ユニットと前記床面との間には前記屋内空間に開口する床側凹部が形成され、
その床側凹部には床側照明が配設されていることを特徴とする請求項３に記載の建物の手摺構造。
【請求項５】
前記各壁ユニットのうち、上側の壁ユニットである第２壁ユニットは、前記屋内空間の天井面から下方に離間した状態で配置され、
前記第２壁ユニットと前記天井面との間には前記屋内空間に開口する天井側凹部が形成され、
その天井側凹部には天井側照明が配設されていることを特徴とする請求項３又は４に記載の建物の手摺構造。
【請求項６】
前記各壁ユニットのうち、上側の壁ユニットである第２壁ユニットは、前記屋内空間の天井面から下方に離間した状態で配置され、
前記第２壁ユニットと前記天井面との間には前記屋内空間に開口する天井側凹部が形成され、
その天井側凹部には天井側照明が配設され、
前記凹部には、前記手摺棒を照らす手摺照明が配設されていることを特徴とする請求項４に記載の建物の手摺構造。
【請求項７】
前記一対の壁ユニットのうち、下側の壁ユニットは第１壁ユニットであり、
前記第１壁ユニットの前記壁下地部は、前記壁面材の幅方向に延びるとともに前記壁面材の上下両端部に設けられた一対の支持部材を有し、
前記各支持部材のうち、上側の支持部材は、前記壁面材の裏面に固定された固定部と、その固定部の下部から前記壁面材とは反対側に延出し前記壁体に固定された延出部とを有し、
前記固定部と前記壁面材とが重なる重なり部上に前記手摺棒が取り付けられていることを特徴とする請求項３乃至６のいずれか一項に記載の建物の手摺構造。
【請求項８】
前記各壁ユニットの幅方向の端部に隣接する位置に、それら両壁ユニットに跨がって上下に延びる縦手摺棒が設けられていることを特徴とする請求項３乃至７のいずれか一項に記載の建物の手摺構造。
【請求項９】
前記各壁ユニットの幅方向の端部に跨がって上下に延びそれら各壁ユニットの前記端部を覆う見切り部材を備え、
その見切り部材に前記縦手摺棒が取り付けられていることを特徴とする請求項８に記載の建物の手摺構造。
【発明の詳細な説明】
【技術分野】
【０００１】
本発明は、建物の手摺構造に関する。
【背景技術】
【０００２】
住宅等の建物では、高齢者や下肢障害者等の歩行を補助するために、廊下等の壁面に手摺が取り付けられている場合がある（例えば特許文献１参照）。この種の壁付けの手摺は、壁幅方向に沿った長尺状をなしており、壁から突出した状態で取り付けられている。
【先行技術文献】
【特許文献】
【０００３】
【特許文献１】特開２００４−２８５７４０号公報
【発明の概要】
【発明が解決しようとする課題】
【０００４】
しかしながら、壁面から手摺が突出して取り付けられる上述の手摺構造では、手摺により壁の外観が損なわれるおそれがある。
【０００５】
本発明は、上記事情に鑑みてなされたものであり、壁の外観が損なわれるのを抑制することができる建物の手摺構造を提供することを主たる目的とするものである。
【課題を解決するための手段】
【０００６】
上記課題を解決すべく、第１の発明の建物の手摺構造は、屋内空間に面して設けられた壁部を備え、前記壁部における所定の高さ範囲には、前記壁部の幅方向に延び前記屋内空間に向けて開口する凹部が形成されており、前記凹部には前記幅方向に延びる手摺棒が取り付けられていることを特徴とする。
【０００７】
本発明によれば、壁部における所定の高さ範囲に屋内空間に向けて開口する凹部が形成され、その凹部に手摺棒が取り付けられている。この場合、手摺棒が壁部から屋内空間側に突出するのを抑制することができるため、手摺棒により壁部の外観が損なわれるのを抑制することができる。
【０００８】
第２の発明の建物の手摺構造は、第１の発明において、前記凹部には、前記手摺棒を照らす手摺照明が設けられていることを特徴とする。
【０００９】
本発明によれば、手摺棒を照らす手摺照明が設けられているため、夜間において手摺棒の位置を容易に把握することができる。また、手摺照明は凹部に配設されているため、手摺照明により凹部周辺つまりは手摺棒周辺だけを明るく照らすことができる。このため、その点からも、夜間において手摺棒の位置を容易に把握することができる。
【００１０】
第３の発明の建物の手摺構造は、第１又は第２の発明において、前記壁部は、壁体と、その壁体の前記屋内空間側に上下に間隔をおいて取り付けられた一対の壁ユニットとを備え、前記各壁ユニットは、前記屋内空間に面して設けられた壁面材と、その壁面材の裏面に設けられ前記壁体に固定された壁下地部とを有し、前記各壁ユニットの間が前記凹部となっていることを特徴とする。
【００１１】
本発明によれば、壁体の屋内空間側に一対の壁ユニットが上下に間隔をおいて取り付けられることで凹部が形成されている。この場合、各壁ユニットを予め工場にて製造し現場で壁体に組み付けるようにすることで、現場での施工工数の低減を図ることができる。
【００１２】
第４の発明の建物の手摺構造は、第３の発明において、前記各壁ユニットのうち、下側の壁ユニットである第１壁ユニットは、前記屋内空間の床面から上方に離間した状態で配置され、前記第１壁ユニットと前記床面との間には前記屋内空間に開口する床側凹部が形成され、その床側凹部には床側照明が配設されていることを特徴とする。
【００１３】
本発明によれば、下側の壁ユニット（第１壁ユニット）と床面との間に形成された床側凹部に床側照明が配設されているため、その床側照明により屋内空間を歩行する人の足下を照らすことができる。これにより、夜間において屋内空間を歩行し易くすることができる。
【００１４】
第５の発明の建物の手摺構造は、第３又は第４の発明において、前記各壁ユニットのうち、上側の壁ユニットである第２壁ユニットは、前記屋内空間の天井面から下方に離間した状態で配置され、前記第２壁ユニットと前記天井面との間には前記屋内空間に開口する天井側凹部が形成され、その天井側凹部には天井側照明が配設されていることを特徴とする。
【００１５】
本発明によれば、上側の壁ユニット（第２壁ユニット）と天井面との間に形成された天井側凹部に天井側照明が配設されているため、その天井側照明により屋内空間の天井側を照らすことができる。この場合、例えば天井側照明を用いてコーブ照明を構築することができる。
【００１６】
第６の発明の建物の手摺構造は、第４の発明において、前記各壁ユニットのうち、上側の壁ユニットである第２壁ユニットは、前記屋内空間の天井面から下方に離間した状態で配置され、前記第２壁ユニットと前記天井面との間には前記屋内空間に開口する天井側凹部が形成され、その天井側凹部には天井側照明が配設され、前記凹部には、前記手摺棒を照らす手摺照明が配設されていることを特徴とする。
【００１７】
本発明によれば、各壁ユニットを用いて壁部に上下に３つの凹部が形成され、それら各凹部にそれぞれ照明が配設されている。この場合、それら３つの凹部から照射される光により意匠性に優れた壁部を構築することができる。また、壁部に、手摺機能に加え、これら照明機能を付加したことで多機能壁を実現することができる。
【００１８】
第７の発明の建物の手摺構造は、第３乃至第６のいずれかの発明において、前記一対の壁ユニットのうち、下側の壁ユニットは第１壁ユニットであり、前記第１壁ユニットの前記壁下地部は、前記壁面材の幅方向に延びるとともに前記壁面材の上下両端部に設けられた一対の支持部材を有し、前記各支持部材のうち、上側の支持部材は、前記壁面材の裏面に固定された固定部と、その固定部の下部から前記壁面材とは反対側に延出し前記壁体に固定された延出部とを有し、前記固定部と前記壁面材とが重なる重なり部上に前記手摺棒が取り付けられていることを特徴とする。
【００１９】
本発明によれば、第１壁ユニットの壁下地部が上下一対の支持部材を有して構成され、それら各支持部材のうち上側の支持部材は壁面材の裏面に固定された固定部と、その固定部の下部から壁面材とは反対側に延出する延出部とを有している。そして、固定部と壁面材とが重なる重なり部上に手摺棒が取り付けられている。この場合、手摺棒を手でつかむ際、手の一部を重なり部の裏側に挿し入れることができるため、手摺棒をつかみ易くすることができる。
【００２０】
第８の発明の建物の手摺構造は、第３乃至第７のいずれかの発明において、前記各壁ユニットの幅方向の端部に隣接する位置に、それら両壁ユニットに跨がって上下に延びる縦手摺棒が設けられていることを特徴とする。
【００２１】
本発明によれば、各壁ユニットの幅方向の端部に隣接して縦手摺棒が設けられているため、手摺棒（横手摺棒）を用いながら壁ユニットに沿って歩行した後、縦手摺棒を用いて方向転換することができる。そのため、高齢者等のユーザが移動する上で利便性の向上を図ることができる。
【００２２】
第９の発明の建物の手摺構造は、第８の発明において、前記各壁ユニットの幅方向の端部に跨がって上下に延びそれら各壁ユニットの前記端部を覆う見切り部材を備え、その見切り部材に前記縦手摺棒が取り付けられていることを特徴とする。
【００２３】
本発明によれば、各壁ユニットの幅方向の端部を覆う見切り部材が設けられているため、各壁ユニットの端部において外観が損なわれるのを抑制することができる。また、見切り部材には縦手摺棒が取り付けられているため、見切り部材を縦手摺棒を取り付ける下地にも利用でき、見切り部材の多機能化を図ることができる。
【図面の簡単な説明】
【００２４】
【図１】建物における一階部分の間取りを示す平面図。
【図２】手摺壁の構成を示す縦断面図。
【図３】廊下から各手摺壁を見た図。
【図４】（ａ）は第２壁ユニットを示す縦断面図であり、（ｂ）は第１壁ユニットを示す縦断面図である。
【図５】（ａ）が排出口周辺を示す斜視図であり、（ｂ）が排出口周辺を拡大して示す正面図である。
【図６】見切り部材及び縦手摺棒を拡大した状態で示す横断面図。
【発明を実施するための形態】
【００２５】
以下に、本発明を具体化した一実施の形態について図面を参照しつつ説明する。本実施形態では、建物が一階部分と二階部分とを有する二階建てとなっており、その建物に高齢者が居住することを想定している。図１はその建物における一階部分の間取りを示す平面図である。
【００２６】
図１に示すように、建物１０の一階部分には、屋内空間として、玄関１１とリビング１２とダイニングキッチン１３と廊下１４と収納室１５とが設けられている。玄関１１には玄関口１６が設けられ、その玄関口１６を通じて建物１０への出入りが可能となっている。また、玄関口１６には玄関ドア１７が設けられている。
【００２７】
リビング１２は玄関１１に隣接して設けられている。リビング１２と玄関１１との間には出入口１８が設けられ、その出入口１８を通じて玄関１１からリビング１２への出入りが可能となっている。また、出入口１８には引き戸１９が設けられ、その引き戸１９は開かれると戸袋２８に収容されるようになっている。
【００２８】
ダイニングキッチン１３はリビング１２から離れた位置に設けられている。リビング１２とダイニングキッチン１３とは廊下１４を介して繋がっている。廊下１４には、収納室１５が隣接して設けられている。収納室１５はリビング１２とダイニングキッチン１３との間に配置されている。廊下１４と収納室１５との間には出入口２１が設けられ、その出入口２１を通じて廊下１４から収納室１５への出入りが可能となっている。また、出入口２１には折り戸２２が設けられている。なお、リビング１２及びダイニングキッチン１３にはそれぞれ収納室１５側の壁面に収納棚３１，３２が設けられている。
【００２９】
廊下１４を挟んで収納室１５とは反対側には階段室２３が設けられている。階段室２３は廊下１４に隣接しており、その階段室２３には二階部分へ通じる階段２４が設けられている。廊下１４と階段室２３との間には出入口２５が設けられ、その出入口２５を通じて廊下１４から階段室２３への出入りが可能となっている。また、出入口２５には引き戸２６が設けられ、その引き戸２６は開かれると戸袋２９に収容されるようになっている。
【００３０】
ここで、本実施形態の建物１０には、廊下１４に面して複数の手摺壁４０が設けられている。手摺壁４０は、手摺としての機能を有しており、居住者が廊下１４を歩行する際にはこの手摺壁４０を手摺として利用することが可能となっている。以下、この手摺壁４０の構成について説明する。なお、手摺壁４０が「壁部」に相当し、廊下１４が「屋内空間」に相当する。
【００３１】
手摺壁４０は、廊下１４を挟んだ両側にそれぞれ２つずつ配置されている。具体的には、手摺壁４０は、廊下１４を挟んだ両側のうち一方側では、収納室１５の出入口２１を挟んだ両側にそれぞれ配置されている。以下においては、これら各手摺壁４０のうち、リビング１２側の手摺壁４０を手摺壁４０Ａ、ダイニングキッチン１３側の手摺壁４０を手摺壁４０Ｂという。また、手摺壁４０は、廊下１４を挟んだ両側のうち他方側では、階段室２３の出入口２５を挟んだ両側にそれぞれ配置されている。以下においてはそれら手摺壁４０のうち、リビング１２側の手摺壁４０を手摺壁４０Ｃ、ダイニングキッチン１３側の手摺壁４０を手摺壁４０Ｄという。なお、図１では、各手摺壁４０Ａ〜４０Ｄにそれぞれドットハッチを付して示している。
【００３２】
各手摺壁４０Ａ〜４０Ｄのうち、手摺壁４０Ａは、リビング１２の収納棚３１に取り付けられ、手摺壁４０Ｂは、ダイニングキッチン１３の収納棚３２と収納室１５の周囲壁とに跨がって取り付けられている。また、手摺壁４０Ｃは、戸袋２８に取り付けられ、手摺壁４０Ｄは、戸袋２９に取り付けられている。この場合、手摺壁４０Ａにおいては収納棚３１が壁下地部３４Ａとなっており、手摺壁４０Ｂにおいては収納棚３２及び収納室１５の周囲壁が壁下地部３４Ｂとなっており、手摺壁４０Ｃにおいては戸袋２８が壁下地部３４Ｃとなっており、手摺壁４０Ｄにおいては戸袋２９が壁下地部３４Ｄとなっている。
【００３３】
続いて、手摺壁４０の構成について図２及び図３を用いながら詳しく説明する。図２は、手摺壁４０の構成を示す縦断面図である。図３は、廊下１４から各手摺壁４０Ｃ，４０Ｄを見た図である。なお、各手摺壁４０（４０Ａ〜４０Ｄ）は、壁幅寸法が互いに異なるものの、基本的には同じ縦断面を有する同じ構成となっている。
【００３４】
図２及び図３に示すように、手摺壁４０は、壁面材４１と、その壁面材４１の廊下１４側に取り付けられた上下一対の壁ユニット４２，４３とを備える。壁面材４１は、石膏ボード又はパーティクルボードからなり、廊下１４の床面１４ａと天井面１４ｂとに跨がって配設されている。壁面材４１は、壁下地部３４Ａ〜３４Ｄにビス等で固定されている。なお、壁面材４１が「壁体」に相当する。
【００３５】
各壁ユニット４２，４３は、いずれも壁幅方向の長さが同じとされ、上下方向に所定の間隔をおいて配置されている。それら各壁ユニット４２，４３のうち下側の壁ユニット４２は第１壁ユニット４２であり、上側の壁ユニット４３は第２壁ユニット４３である。以下においては、これら各壁ユニット４２，４３の構成を図２及び図３に加え、図４を参照しながら説明する。図４において（ａ）は第２壁ユニット４３を示す縦断面図であり、（ｂ）は第１壁ユニット４２を示す縦断面図である。
【００３６】
まず第１壁ユニット４２について説明する。図２、図３及び図４（ｂ）に示すように、第１壁ユニット４２は、廊下１４に面して設けられた壁面材４５と、その壁面材４５の裏面に設けられた上下一対の支持部材４６，４７とを備える。壁面材４５は、石膏ボード又はパーティクルボードからなる。また、各支持部材４６，４７はいずれも木質系材料又は樹脂材料により長尺状に形成されている。なお、各支持部材４６，４７により壁下地部が構成されている。
【００３７】
各支持部材４６，４７のうち、下側の支持部材４６は、壁面材４５の下端部に配置され、壁面材４５の幅方向に延びている。詳しくは、支持部材４６は、壁面材４５の幅方向全域に亘って延びている。支持部材４６は、その横断面（長手方向と直交する方向の断面）がＬ字状をなしており、壁面材４５の裏面にビス等で固定された固定部４６ａと、その固定部４６ａの上部から壁面材４５とは反対側に延出する（延びる）延出部４６ｂとを有する。固定部４６ａは、その下端が壁面材４５の下端と同じ高さ位置に設定されている。
【００３８】
上側の支持部材４７は、壁面材４５の上端部に配置され、壁面材４５の幅方向に延びている。詳しくは、支持部材４７は、壁面材４５の幅方向全域に亘って延びている。支持部材４７は、その横断面がＬ字状をなしており、壁面材４５の裏面にビス等で固定された固定部４７ａと、その固定部４７ａの下部から壁面材４５とは反対側に延出する（延びる）延出部４７ｂとを有する。固定部４７ａは、その上端が壁面材４５の上端と同じ高さ位置に設定されている。
【００３９】
第１壁ユニット４２は、床面１４ａから上方に離間された状態で壁面材４１に固定されている。これにより、第１壁ユニット４２と床面１４ａとの間には廊下１４に向けて開口する床側凹部５１が形成されている。この床側凹部５１は、第１壁ユニット４２の壁幅方向全域に亘って形成されている。
【００４０】
第１壁ユニット４２は、各支持部材４６，４７の延出部４６ｂ，４７ｂの端部が壁面材４１の壁面にそれぞれ当接しており、その当接状態でそれら各延出部４６ｂ，４７ｂ（ひいては各支持部材４６，４７）がビス等により壁面材４１に固定されている。この場合、例えば、壁面材４１を挟んで支持部材４６，４７とは反対側に下地板が配設され、その下地板にビスが延出部４６ｂ，４７ｂ及び壁面材４１を介して（例えば斜めに）打ち付けられることで支持部材４６，４７が壁面材４１に固定される。
【００４１】
第１壁ユニット４２の壁面材４５には、その表面（廊下１４側の面）に壁仕上げ材５２が貼り付けられている。壁仕上げ材５２はクロス（壁紙）からなる。壁仕上げ材５２は、壁面材４５の表面に加えて、壁面材４５の下端面及び支持部材４６の固定部４６ａの下端面及び内側面にも跨がって貼り付けられている。なお、図２では便宜上、壁仕上げ材５２を破線にて示している。
【００４２】
続いて、第２壁ユニット４３について説明する。図２、図３及び図４（ａ）に示すように、第２壁ユニット４３は、概ね第１壁ユニット４２と同様の構成を有している。すなわち、第２壁ユニット４３も、廊下１４に面して設けられた壁面材５５と、その壁面材５５の裏面に設けられた上下一対の支持部材５６，５７とを備える。壁面材５５は石膏ボード又はパーティクルボードからなり、各支持部材５６，５７はいずれも木質系材料又は樹脂材料により長尺状に形成されている。なお、各支持部材５６，５７により壁下地部が構成されている。
【００４３】
各支持部材５６，５７のうち、下側の支持部材５６は、壁面材５５の下端部に配置されて壁面材５５の幅方向に延びており、詳しくは壁面材５５の幅方向全域に亘って延びている。支持部材５６は、その横断面がＬ字状をなしており、壁面材５５の裏面にビス等で固定された固定部５６ａと、その固定部５６ａの上部から壁面材５５とは反対側に延出する（延びる）延出部５６ｂとを有する。固定部５６ａは、その下端部が壁面材５５の下端よりも若干下方に延出しており、その延出した部分には廊下１４側に延び壁面材５５の下端面を覆う覆い部５６ｃが設けられている。覆い部５６ｃは、その下面が壁面材５５の表面（廊下１４側の面）と固定部５６ａの下端面とを滑らかにつなぐ円弧面となっている。
【００４４】
上側の支持部材５７は、壁面材５５の上端部に配置されて壁面材５５の幅方向に延びており、詳しくは壁面材５５の幅方向全域に亘って延びている。支持部材５７は、その横断面がＬ字状をなしており、壁面材５５の裏面にビス等で固定された固定部５７ａと、その固定部５７ａの下部から壁面材５５とは反対側に延出する（延びる）延出部５７ｂとを有する。固定部５７ａは、その上端が壁面材５５の上端と同じ高さ位置に設定されている。
【００４５】
第２壁ユニット４３は、第１壁ユニット４２から上方に離間されかつ天井面１４ｂから下方に離間された状態で壁面材４１に固定されている。これにより、第１壁ユニット４２と第２壁ユニット４３との間には廊下１４に向けて開口する中間凹部５８が形成され、第２壁ユニット４３と天井面１４ｂとの間には廊下１４に向けて開口する天井側凹部５９が形成されている。これら中間凹部５８及び天井側凹部５９はいずれも、第２壁ユニット４３の壁幅方向全域に亘って形成されている。なお、中間凹部５８が「凹部」に相当する。
【００４６】
第２壁ユニット４３は、各支持部材５６，５７の延出部５６ｂ，５７ｂの端部が壁面材４１の壁面にそれぞれ当接しており、その当接状態でそれら各延出部５６ｂ，５７ｂ（ひいては各支持部材５６，５７）がビス等により壁面材４１に固定されている。この場合、例えば、壁面材４１を挟んで支持部材５６，５７とは反対側に下地板が配設され、その下地板にビスが延出部５６ｂ，５７ｂ及び壁面材４１を介して（斜めに）打ち付けられることで支持部材５６，５７が壁面材４１に固定される。
【００４７】
第２壁ユニット４３は、その厚みが第１壁ユニット４２の厚みと同じとされている。そのため、第２壁ユニット４３の壁面材５５の表面（廊下１４側の面）は第１壁ユニット４２の壁面材４５の表面と同一平面上に位置している。
【００４８】
第２壁ユニット４３の壁面材５５には、その表面に壁仕上げ材６２が貼り付けられている。壁仕上げ材６２はクロス（壁紙）からなる。壁仕上げ材６２は、壁面材５５の表面に加え、支持部材５６の覆い部５６ｃの下面と固定部５６ａの下端面（下面）及び内側面とに跨がって貼り付けられており、さらには壁面材５５の上端面と支持部材５７の固定部５７ａの上端面及び内側面とにも跨がって貼り付けられている。なお、図２では便宜上、壁仕上げ材６２を破線にて示している。
【００４９】
以上が、各壁ユニット４２，４３に関する説明である。また、各壁ユニット４２，４３は予め製造工場において製造され、その製造された壁ユニット４２，４３が現場に搬送されて壁面材４１に固定されるものとなっている。
【００５０】
壁面材４１の表面において床面１４ａと第１壁ユニット４２との間にはそれら両者１４ａ，４２に跨がる状態で化粧板６３が取り付けられている。化粧板６３は木板からなり、第１壁ユニット４２の壁幅方向全域に亘って配設されている。なお、化粧板６３は、その上端部が第１壁ユニット４２の支持部材４６（延出部４６ｂ）に形成された凹部６４に入り込んだ状態で取り付けられている。
【００５１】
壁面材４１の表面において第１壁ユニット４２と第２壁ユニット４３との間にはそれら両者４２，４３に跨がる状態で化粧板６６が取り付けられている。化粧板６６は、化粧板６３と同じ木板からなり、各壁ユニット４２，４３の壁幅方向全域に亘って配設されている。なお、化粧板６６は、その下端部が第１壁ユニット４２の支持部材４７（延出部４７ｂ）に形成された凹部６７に入り込み、その上端部が第２壁ユニット４３の支持部材５６（延出部５６ｂ）に形成された凹部６８に入り込んだ状態で取り付けられている。
【００５２】
壁面材４１の表面において第２壁ユニット４３と天井面１４ｂとの間にはそれら両者１４ｂ，４３に跨がる状態で化粧板７１が取り付けられている。化粧板７１は、化粧板６３，６６と同じ木板からなり、第２壁ユニット４３の壁幅方向全域に亘って配設されている。なお、化粧板７１は、その下端部が第２壁ユニット４３の支持部材５７（延出部５７ｂ）に形成された凹部７２に入り込んだ状態で取り付けられている。
【００５３】
ちなみに、上記の各化粧板６３，６６，７１に代えて、壁面材４１にクロス（壁紙）を貼り付けてもよい。この場合、各壁仕上げ材５２，６２と同じクロスを貼り付けるのがよい。
【００５４】
続いて、手摺壁４０における各凹部５１，５８，５９周辺の構成について説明する。
【００５５】
図２及び図３に示すように、床側凹部５１には、床側照明７５が配設されている。床側照明７５は、蛍光灯等の照明機器からなり、床側凹部５１の長手方向に沿って配置されている。床側照明７５は、第１壁ユニット４２の支持部材４６（詳しくは延出部４６ｂ）の下面に取り付けられ、床面１４ａに向けて光を照射するものとなっている。
【００５６】
床側照明７５は、支持部材４６の固定部４６ａにより廊下１４側から覆い隠されている。この場合、床側照明７５から照射される光は固定部４６ａにより遮られることになるため、床側照明７５からの光は床面１４ａにて反射してから廊下１４に照射される。そのため、床側凹部５１ではいわゆる間接照明が構築されている。
【００５７】
なお、床側照明７５からの光は廊下１４を歩行する居住者の足下を照らすため、その点からすると床側照明７５を足下照明ということができる。また、支持部材４６の固定部４６ａにより床側照明７５からの光が遮られる点からすると、当該固定部４６ａを床側遮光部ということもできる。
【００５８】
ちなみに、図示は省略するが、床側照明７５の配線は第１壁ユニット４２の内部空間、詳しくは第１壁ユニット４２の各支持部材４６，４７の間の空間に導かれている。したがって、第１壁ユニット４２の内部空間は配線を収容する収容スペースとなっている。
【００５９】
中間凹部５８には、手摺棒７６と、その手摺棒７６を照射する手摺照明７７とが配設されている。手摺棒７６は、木製の角棒により形成されている。手摺棒７６は、中間凹部５８の長手方向に沿って配設され、詳しくは中間凹部５８の長手方向全域に亘って配設されている。手摺棒７６は、中間凹部５８において第１壁ユニット４２上に取り付けられている。詳しくは、手摺棒７６は、第１壁ユニット４２において壁面材４５と支持部材４７の固定部４７ａとが重なる重なり部８２の上に配置され、その配置状態で固定部４７ａにビス等で固定されている。なお、手摺棒７６が横手摺棒に相当する。
【００６０】
手摺照明７７は、蛍光灯等の照明機器からなり、中間凹部５８の長手方向に沿って配設されている。手摺照明７７は、第２壁ユニット４３の支持部材５６（詳しくは延出部５６ｂ）の下面に取り付けられ、手摺棒７６に向けて上方から光を照射するものとなっている。手摺照明７７は、支持部材５６の固定部５６ａにより廊下１４側から覆い隠されている。この場合、手摺照明７７から照射される光は固定部５６ａにより遮られることになる。このため、この固定部５６ａを遮光部ということもできる。
【００６１】
天井側凹部５９には、天井側照明７８が配設されている。天井側照明７８は、蛍光灯等の照明機器からなり、天井側凹部５９の長手方向に沿って配置されている。天井側照明７８は、第２壁ユニット４３の支持部材５７（詳しくは延出部５７ｂ）の上面に取り付けられ、天井面１４ｂに向けて光を照射するものとなっている。
【００６２】
天井側照明７８は、支持部材５７の固定部５７ａにより廊下１４側から覆い隠されている。この場合、天井側照明７８から照射される光は固定部５７ａにより遮られることになるため、天井側照明７８からの光は天井面１４ｂにて反射してから廊下１４に照射される。そのため、天井側凹部５９ではいわゆる間接照明（コーブ照明）が構築されている。なお、固定部５７ａにより天井側照明７８からの光が遮られる点からすると、当該固定部５７ａを天井側遮光部ということもできる。
【００６３】
ちなみに、図示は省略するが、天井側照明７８の配線と手摺照明７７の配線とは第２壁ユニット４３の内部空間、詳しくは第２壁ユニット４３の各支持部材５６，５７の間の空間に導かれている。したがって、第２壁ユニット４３の内部空間は配線を収容する収容スペースとなっている。
【００６４】
ところで、手摺棒７６が配設された中間凹部５８では、その下部が第１壁ユニット４２の支持部材４７と壁面材４１（詳しくは化粧板６６）とにより囲まれた溝状をなしているため、その溝状部５８ａに塵埃が溜まることが想定される。そこで、第１壁ユニット４２には、溝状部５８ａに溜まった塵埃を廊下１４側に排出するための排出口８１が設けられている。以下、この排出口８１に関する構成について図３に加え図５を用いながら説明する。図５は（ａ）が排出口８１周辺を示す斜視図であり、（ｂ）が排出口８１周辺を拡大して示す正面図である。なお、図５（ａ）では便宜上、壁面材４５の図示を省略している。
【００６５】
図５（ａ）及び（ｂ）に示すように、第１壁ユニット４２において支持部材４７の固定部４７ａと壁面材４５とが重なる重なり部８２は溝状部５８ａと廊下１４とを仕切るように設けられている（図２も参照）。その重なり部８２には厚み方向に貫通して排出口８１が形成されている。排出口８１は、溝状部５８ａと廊下１４とを連通しており、重なり部８２の高さ方向全域に亘って形成されている。これにより、溝状部５８ａに溜まった塵埃を排出口８１を通じて廊下１４側に排出することが可能となっている。
【００６６】
また、図３に示すように、排出口８１は、第１壁ユニット４２の壁幅方向の端部に配置されている。なお、図３では手摺壁４０Ｃ，４０Ｄの排出口８１のみ図示されているが、手摺壁４０Ａ，４０Ｂの排出口８１も同様に第１壁ユニット４２の壁幅方向の端部に配置されている。これにより、排出口８１により手摺壁４０の外観が損なわれるのが抑制されている。
【００６７】
排出口８１は第１壁ユニット４２の壁幅方向の端部に配置されているため、排出口８１は同方向における一方側が開放されている。また、手摺棒７６は、その端部が排出口８１の他方側の側面（換言すると固定部４７ａの排出口８１側の端面）と略同じ位置に位置している。このため、排出口８１はその上方が手摺棒７６により覆われておらず開放された状態となっている。
【００６８】
なお、図５に示すように、溝状部５８ａにおいて支持部材４７の延出部４７ｂ上に突板８４が設けられる場合には、突板８４を排出口８１を通じて壁面材４５の壁面と同じ位置まで延出させるのが望ましい。
【００６９】
続いて、手摺壁４０の幅方向の端部に設けられた見切り構造について説明する。
【００７０】
図１及び図３に示すように、手摺壁４０の幅方向の両端部には見切り部材８６，８７が設けられている。見切り部材８６，８７は、木質系材料により上下に延びる長尺状に形成され、床面１４ａと天井面１４ｂとに跨がるように配設されている。見切り部材８６，８７は、手摺壁４０の各壁ユニット４２，４３を挟んだ両側に配置され、各壁ユニット４２，４３の壁幅方向の端部を覆っている。詳しくは、見切り部材８６，８７は、各壁ユニット４２，４３の厚み方向全域を覆っている。これにより、各壁ユニット４２，４３の端部において外観が損なわれるのが抑制されている。また、見切り部材８６，８７は、各壁ユニット４２，４３の支持部材４６，４７，５６，５７の端部に固定されている。
【００７１】
見切り部材８６，８７としては、長尺平板状の見切り部材８６と、断面Ｌ字状の見切り部材８７とがある。各手摺壁４０Ａ，４０Ｂ，４０Ｄにおいては、その両端部のうち一方に見切り部材８６が設けられ、他方に見切り部材８７が設けられている。また、手摺壁４０Ｃにおいては、その両端部にそれぞれ見切り部材８７が設けられている。
【００７２】
見切り部材８７には、上下に延びる縦手摺棒８８が取り付けられている。図６には、それら見切り部材８７と縦手摺棒８８とが横断面の状態で拡大されて示されている。図６に示すように、見切り部材８７は、手摺壁４０の各壁ユニット４２，４３を覆う見切り部８７ａと、その見切り部８７ａの反廊下１４側の端部から壁ユニット４２，４３とは反対側に延びる（延出する）延出部８７ｂとを有する。これら見切り部８７ａ及び延出部８７ｂの内側には縦手摺棒８８が配設されている。縦手摺棒８８は、木製の丸棒により形成され、床面１４ａと天井面１４ｂとに跨がるように配置されている。
【００７３】
縦手摺棒８８は、見切り部材８７の見切り部８７ａ及び延出部８７ｂからそれぞれ離間して配置されており、それら縦手摺棒８８と見切り部材８７との間には複数の固定金具８９が上下に所定の間隔で配設されている。固定金具８９は、鋼板を用いて略四角環状に形成され、見切り部材８７の見切り部８７ａ及び延出部８７ｂと縦手摺棒８８とに跨がって配設されている。そして、縦手摺棒８８は、これら各固定金具８９を介して見切り部材８７に固定されている。
【００７４】
以上、詳述した本実施形態の構成によれば、以下の優れた効果が得られる。
【００７５】
手摺壁４０における所定の高さ範囲に廊下１４に向けて開口する中間凹部５８を形成し、その中間凹部５８に手摺棒７６を取り付けた。この場合、手摺棒７６が手摺壁４０から廊下１４側に突出するのを抑制することができるため、手摺棒７６により壁部の外観が損なわれるのを抑制することができる。
【００７６】
また、手摺棒７６が手摺壁４０から廊下１４側に突出するのを抑制することで、廊下１４を歩行する居住者の衣服が手摺棒７６に引っ掛かるのを抑制することができる。そのため、衣服が引っ掛かることで居住者が転倒する等の事態が生じるのを抑制することができる。
【００７７】
さらに、手摺棒７６を手摺壁４０の中間凹部５８に配設したことで、手摺棒７６をつかみ損なう等してバランスを崩した際に手摺壁４０にもたれかかれる利点もある。
【００７８】
手摺壁４０を、壁面材４１と、その壁面材４１の廊下１４側に上下に所定間隔をおいて取り付けた一対の壁ユニット４２，４３とを備えて構成し、それら各壁ユニット４２，４３の間を中間凹部５８とした。この場合、各壁ユニット４２，４３を予め工場にて製造し現場で壁面材４１に組み付けるようにすることで、現場での施工工数の低減を図ることができる。
【００７９】
中間凹部５８に手摺棒７６を照らす手摺照明７７を設けたため、夜間において手摺棒７６の位置を容易に把握することができる。また、手摺照明７７は中間凹部５８に配設されているため、手摺照明７７により中間凹部５８周辺つまりは手摺棒７６周辺だけを明るく照らすことができる。このため、その点からも、夜間において手摺棒７６の位置を容易に把握することができる。
【００８０】
第１壁ユニット４２を床面１４ａから上方に離間させて配置することで、床面１４ａと第１壁ユニット４２との間に廊下１４に開口する床側凹部５１を形成し、その床側凹部５１に床側照明７５を配設した。この場合、その床側照明７５により廊下１４を歩行する人の足下を照らすことができるため、夜間において廊下１４を歩行し易くすることができる。
【００８１】
第２壁ユニット４３を天井面１４ｂから下方に離間させて配置することで、第２壁ユニット４３と天井面１４ｂとの間に廊下１４に開口する天井側凹部５９を形成し、その天井側凹部５９に天井側照明７８を配設した。この場合、その天井側照明７８により廊下１４の天井側を明るく照らすことができるため、夜間において廊下１４を歩行し易くすることができる。
【００８２】
また、天井側照明７８を、第２壁ユニット４３の（上側の）支持部材５７の延出部５７ｂ上に取り付け、それにより天井側照明７８から照射される光を固定部５７ａにより廊下１４側から覆い隠すようにしたため、天井側照明７８を用いてコーブ照明を構築することができる。
【００８３】
上記のように、各壁ユニット４２，４３を用いて手摺壁４０に上下に３つの凹部５１，５８，５９を形成し、それら各凹部５１，５８，５９にそれぞれ床側照明７５、手摺照明７７、天井側照明７８を配設したため、それら３つの凹部５１，５８，５９から照射される光により意匠性に優れた壁部を構築することができる。また、手摺壁４０に、手摺機能に加え、それら照明機能を付加したことで多機能壁を実現することができる。
【００８４】
第１壁ユニット４２における（上側の）支持部材４７を、壁面材４５の裏面に固定された固定部４７ａと、その固定部４７ａの下部から壁面材４５とは反対側に延出する延出部４７ｂとを有して構成した。そして、固定部４７ａと壁面材４５とが重なる重なり部８２上に手摺棒７６を取り付けた。この場合、手摺棒７６を手でつかむ際、手の一部を重なり部８２の裏側に挿し入れることができるため、手摺棒７６をつかみ易くすることができる。
【００８５】
各壁ユニット４２，４３の幅方向の端部に隣接する位置に、それら両壁ユニット４２，４３に跨がって上下に延びる縦手摺棒８８を設けた。この場合、手摺棒７６（横手摺棒）を用いながら壁ユニット４２，４３（ひいては手摺壁４０）に沿って歩行した後、縦手摺棒８８を用いて方向転換することができる。例えば、手摺壁４０Ｃに沿って廊下１４を歩行した後、出入口２５を通じて階段室２３に入る際、手摺壁４０Ｃの端部の縦手摺棒８８を用いて方向転換することができる。そのため、高齢者からなる居住者が移動するに際して利便性の向上を図ることができる。
【００８６】
各壁ユニット４２，４３の端部に跨がって上下に延びそれら両壁ユニット４２，４３の端部を覆う見切り部材８７を設けたため、各壁ユニット４２，４３の端部において外観が損なわれるのを抑制することができる。また、見切り部材８７には縦手摺棒８８を取り付けたため、見切り部材８７を縦手摺棒８８の取付下地としても利用でき、見切り部材８７の多機能化を図ることができる。
【００８７】
本発明は上記実施形態に限らず、例えば次のように実施されてもよい。
【００８８】
・上記実施形態では、手摺壁４０の各凹部５１，５８，５９にそれぞれ照明７５，７７，７８を配設したが、これら各凹部５１，５８，５９のうちいずれか１又は２の凹部に照明を配設しないようにしてもよい。また、各凹部５１，５８，５９のすべてに照明を配設しないようにしてもよい。
【００８９】
・上記実施形態では、第１壁ユニット４２を床面１４ａから上方に離間させて配置したが、第１壁ユニット４２を床面１４ａ上に当接させて配置してもよい。但し、この場合、第１壁ユニット４２と床面１４ａとの間に床側凹部５１が形成されず、当該凹部５１に床側照明を配設できなくなってしまうため、この点を鑑みると、第１壁ユニット４２を床面１４ａから離間させて配置するのが望ましい。
【００９０】
また、上記実施形態では、第２壁ユニット４３を天井面１４ｂから下方に離間させて配置したが、第２壁ユニット４３を天井面１４ｂに当接させて配置してもよい。但し、この場合、第２壁ユニット４３と天井面１４ｂとの間に天井側凹部５９が形成されず、当該凹部５９に天井側照明を配設できなくなってしまうため、この点を鑑みると、第２壁ユニット４３を天井面１４ｂから離間させて配置するのが望ましい。
【００９１】
・上記実施形態では、手摺棒７６を中間凹部５８において第１壁ユニット４２の重なり部８２上に取り付けたが、これを変更してもよい。例えば、第１壁ユニット４２の（上側の）支持部材４７において延出部４７ｂを固定部４７ａの上部に位置させ、それにより延出部４７ｂの上面を壁面材４５の上端部と同じ高さ位置に設定する。そして、手摺棒７６を、壁面材４５の上端部と延出部４７ｂの上面とに跨がる状態で取り付けることが考えられる。但し、この場合、手摺棒７６をつかむ際、手の一部が延出部４７ｂ上に当たって手摺棒７６をつかみにくくなることが想定されるため、この点を鑑みると、手摺棒７６を重なり部８２上に取り付けるのが望ましい。
【００９２】
・上記実施形態では、各壁ユニット４２（４３）の壁下地部を上下一対の支持部材４６，４７（５６，５７）により構成したが、各壁ユニット４２，４３の壁下地部の構成は必ずしもこれに限らない。例えば、各壁ユニット４２，４３のうち少なくともいずれかの壁ユニット４２，４３において、壁下地部を、上下一対の支持部材と、それら各支持部材を上下に連結する複数の連結部材とを有した矩形枠状に形成してもよい。その場合、壁下地部ひいては壁ユニットの強度を高めることができる。特に、各壁ユニット４２，４３のうち、下側の第１壁ユニット４２上には手摺棒７６が取り付けられているため、第１壁ユニット４２には手摺棒７６を介して歩行者の荷重が加わることが想定される。このため、この第１壁ユニット４２において壁下地部を矩形枠状に形成することで、歩行者の荷重を好適に支えることが可能となる。
【００９３】
・上記実施形態では、壁体としての壁面材４１に各壁ユニット４２，４３を取り付けたが、例えば下地フレームと、その下地フレームを挟んだ両側に設けられた一対の壁面材とを有する壁体に壁ユニット４２，４３を取り付けるようにしてもよい。この場合にも、各壁ユニット４２，４３の間に中間凹部５８を形成することができる。
【００９４】
・上記実施形態では、廊下１４に面して手摺壁４０を設けたが、手摺壁４０を玄関１１やリビング１２等、廊下１４以外の屋内空間に面して設けてもよい。
【００９５】
・例えば、リフォームの際に手摺壁４０を構築してもよい。この場合、既設の壁体に各壁ユニット４２，４３を取り付ける等することで、比較的容易に手摺壁４０を構築することができる。また、車椅子を使用する際の通路幅確保のために、手摺壁を事後的に取り外したくなる場合も考えられるが、その場合、各壁ユニット４２，４３を壁体から取り外す等の比較的簡単の作業で通路幅を確保することが可能となる。
【符号の説明】
【００９６】
１０…建物、１４…屋内空間としての廊下、４０…壁部としての手摺壁、４１…壁体としての壁面材、４２…第１壁ユニット、４３…第２壁ユニット、４５…壁面材、４６…支持部材、４７…支持部材、４７ａ…固定部、４７ｂ…延出部、５１…床側凹部、５８…凹部としての中間凹部、５９…天井側凹部、７５…床側照明、７６…手摺棒、７７…手摺照明、７８…天井側照明、８２…重なり部、８７…見切り部材、８８…縦手摺棒。
【図１】
2018017086.tif 000003
【図２】
2018017086.tif 000004
【図３】
2018017086.tif 000005
【図４】
2018017086.tif 000006
【図５】
2018017086.tif 000007
【図６】
2018017086.tif 000008